(57)【要約】【課題】  工事現場における基礎コンクリートを打設する作業を要せず、作業工程を短縮できるようにすること。【解決手段】  コンクリートブロックの底部に敷設され、該コンクリートブロックの前方へのすべりを防止すると共に該コンクリートブロックを支えて地盤に定着させるコンクリートブロック用の基礎ブロックであって、前記コンクリートブロックの前方へのすべりを防止するための突出したエプロン部を有する前方側基礎部材と、該前方側基礎部材の後方側に配設される後方側基礎部材と、少なくとも二つの支持梁とからなり、前記前方側基礎部材の背面側と後方側基礎部材の前面側とのそれぞれに少なくとも二つの連結部を形成し、該連結部のそれぞれに支持梁を連結させる構成にしたことにより、工事現場における基礎コンクリートを打設する作業を要せず、作業工程を短縮できるようになる。【選択図】図１
2006249675.tif 000002
【特許請求の範囲】
【請求項１】
コンクリートブロックの底部に敷設され、該コンクリートブロックの前方へのすべりを防止すると共に該コンクリートブロックを支えて地盤に定着させるコンクリートブロック用の基礎ブロックであって、
前記コンクリートブロックの前方へのすべりを防止するための突出したエプロン部を有する前方側基礎部材と、該前方側基礎部材の後方側に配設される後方側基礎部材と、少なくとも二つの支持梁とからなり、
前記前方側基礎部材の背面側と後方側基礎部材の前面側とのそれぞれに少なくとも二つの連結部を形成し、
該連結部のそれぞれに支持梁を連結させる構成にしたこと
を特徴とするコンクリートブロック用の基礎ブロック。
【請求項２】
前記前方側基礎部材と後方側基礎部材とに形成された連結部には、
位置合わせ用の嵌合凹部を形成すると共に、該嵌合凹部に対応する嵌合凸部を支持梁の両端部に形成したこと
を特徴とする請求項１に記載のコンクリートブロック用の基礎ブロック。
【請求項３】
前記前方側基礎部材と後方側基礎部材と支持梁とは、
いずれも棒状の略長方体の形状を呈していること
を特徴とする請求項１に記載のコンクリートブロック用の基礎ブロック。
【発明の詳細な説明】
【技術分野】
【０００１】
本発明は、例えば、河川の土手、崖または盛り土の側面等の法面に配設して該法面が崩れるのを防止するための擁壁用のコンクリートブロックの底部に敷設し、該コンクリートブロックを支えて地盤に定着させるためのコンクリートブロック用の基礎ブロックに関するものである。
【背景技術】
【０００２】
従来、この種の技術としては、例えば、法面にコンクリートブロックを設置する際に、その基部に所定の基礎工事完了後に周知の要領で基礎コンクリートを打設する技術がある（特許文献１参照）。
【０００３】
この特許文献１の公知技術においては、工事の現場で地面等に基礎コンクリートを打設し、該基礎コンクリートを打設した部分を養生し乾燥させて、該基礎コンクリートをコンクリートブロックの基礎として用いることができるようになる。
【０００４】
【特許文献１】特開２００１−１１５４６５号公報
【発明の開示】
【発明が解決しようとする課題】
【０００５】
しかしながら、前記特許文献１の公知技術においては、工事の現場において基礎コンクリートを打設する作業を行うため、天候等に左右されやすく、また、前記基礎コンクリートを打設する作業等に時間を要するために作業工程を短縮することが困難であるという問題点を有している。
【０００６】
従って、工事現場における基礎コンクリートを打設する作業を要せず、作業工程を短縮できるようにするということに解決しなければならない課題を有している。
【課題を解決するための手段】
【０００７】
上記した従来例の課題を解決する具体的手段として本発明に係るコンクリートブロック用の基礎ブロックは、コンクリートブロックの底部に敷設され、該コンクリートブロックの前方へのすべりを防止すると共に該コンクリートブロックを支えて地盤に定着させるコンクリートブロック用の基礎ブロックであって、前記コンクリートブロックの前方へのすべりを防止するための突出したエプロン部を有する前方側基礎部材と、該前方側基礎部材の後方側に配設される後方側基礎部材と、少なくとも二つの支持梁とからなり、前記前方側基礎部材の背面側と後方側基礎部材の前面側とのそれぞれに少なくとも二つの連結部を形成し、該連結部のそれぞれに支持梁を連結させる構成にしたことを最も主要な特徴とする。
【０００８】
この発明において、前記前方側基礎部材と後方側基礎部材とに形成された連結部には、位置合わせ用の嵌合凹部を形成すると共に、該嵌合凹部に対応する嵌合凸部を支持梁の両端部に形成したこと；前記前方側基礎部材と後方側基礎部材と支持梁とは、いずれも棒状の略長方体の形状を呈していること；を付加的な要件として含むものである。
【発明の効果】
【０００９】
本発明に係るコンクリートブロック用の基礎ブロックは、コンクリートブロックの底部に敷設され、該コンクリートブロックの前方へのすべりを防止すると共に該コンクリートブロックを支えて地盤に定着させるコンクリートブロック用の基礎ブロックであって、前記コンクリートブロックの前方へのすべりを防止するための突出したエプロン部を有する前方側基礎部材と、該前方側基礎部材の後方側に配設される後方側基礎部材と、少なくとも二つの支持梁とからなり、前記前方側基礎部材の背面側と後方側基礎部材の前面側とのそれぞれに少なくとも二つの連結部を形成し、該連結部のそれぞれに支持梁を連結させる構成にしたことにより、コンクリートブロックの基礎部とする位置に予め作製されたコンクリートブロック用の基礎ブロックを敷設するという容易な作業だけで基礎部の形成ができて工事現場における基礎コンクリートを打設する作業を要せず、作業工程を短縮することができると共に、天候等にも左右されることがなく、更に、コンクリートブロック用の基礎ブロックが複数の部材を組み合わせて用いる組み立て式であるために、１つ１つの部材を小型・軽量化できて搬入作業等も容易になるという優れた効果を奏する。
【発明を実施するための最良の形態】
【００１０】
次に、本発明を具体的な実施の形態に基づいて詳しく説明する。
本発明の実施の形態に係るコンクリートブロック用の基礎ブロックを図１乃至図６を用いて説明する。このコンクリートブロック用の基礎ブロックは、コンクリートを用いて形成されており、いずれの形態のコンクリートブロックの基礎として用いることができるが、特に、特開２００４−３０８２６９に開示されたコンクリートブロック、即ち、擁壁用のコンクリートブロックであって、正面パネルと、少なくとも二つの支持梁と、背面パネルとからなり、該正面パネルの背面側に少なくとも二つの連結部を形成し、該連結部のそれぞれに前記支持梁を連結させ、該連結させた支持梁と支持梁との間に前記背面パネルを配設させる構成にしたコンクリートブロック等の大型のコンクリートブロックの底部に敷設する基礎ブロックとして用いることが好ましいものである。
【００１１】
図１に、コンクリートブロック用の基礎ブロックの略示的な斜視図を示し、図２（ａ）に、コンクリートブロック用の基礎ブロックの略示的な平面図を示し、図２（ｂ）に、その側面図を示してある。コンクリートブロック用の基礎ブロック１（以下基礎ブロック１という）は、前方側基礎部材２と、該前方側基礎部材２の後方側（背面側）に配設される後方側基礎部材３と、支持梁４とから構成されている。
【００１２】
図３（ａ）に、前方側基礎部材２の略示的な平面図を示し、図３（ｂ）に、その側面図を示してある。前方側基礎部材２は全体的に棒状の略長方体の形状を呈しており、該前方側基礎部材２の上面には、幅方向の略中央部に上側方向に突出したエプロン部５が長さ方向に一連に形成されている。このエプロン部５は、前方側基礎部材２の上面から直角に立ち上げて形成させても良いが、前方側の端部と後方側の端部とに傾斜部５ａ、５ｂを形成することが好ましい。
【００１３】
この前記前方側基礎部材２の背面側（後方側）には、後方側に突出し上部に切り欠きが形成された連結部６が所定の間隔をもって少なくとも二つ形成されており、該連結部６の略中央部には、ボルト取り付け用孔部７が設けられている。
【００１４】
また、前方側基礎部材２の背面側に形成された連結部６には、位置合わせ用の嵌合凹部８が形成されている。この嵌合凹部８は、支持梁４の連結を容易にするものであり、該支持梁４との位置合わせを容易にできるものであればいずれの位置に形成させても良いが、例えば、図３に示してあるように、上部が切り欠かれている連結部６の上部側に形成させれば良い。
【００１５】
図４（ａ）に、後方側基礎部材３の略示的な平面図を示し、図４（ｂ）に、その側面図を示してある。後方側基礎部材３は全体的に棒状の略長方体の形状を呈しており、該後方側基礎部材３の前面側（前方側）には、前方側に突出し上部に切り欠きが形成された連結部９が前方側基礎部材２の連結部６に対応する位置に所定の間隔をもって少なくとも二つ形成されており、前記連結部９の略中央部には、ボルト取り付け用孔部１０が設けられている。
【００１６】
また、後方側基礎部材３の前面側に形成された連結部９には、位置合わせ用の嵌合凹部１１が形成されている。この嵌合凹部８は、前記連結部６と同様に、支持梁４の連結を容易にするものであり、例えば、図４に示してあるように、上部が切り欠かれている連結部９の上部側に形成させれば良い。
【００１７】
図５（ａ）に、支持梁４の略示的な平面図を示し、図５（ｂ）に、その側面図を示してある。支持梁４は全体的に棒状の略長方体の形状を呈しており、その長手方向の端部寄りには、前方側基礎部材２の連結部６に設けられたボルト取り付け用孔部７と、後方側基礎部材３の連結部９に設けられたボルト取り付け用孔部１０とに対応したそれぞれの位置に、ボルト挿設用孔部１２が設けられている。なお、この棒状の略長方体を呈する支持梁４の長手方向の長さは、基礎ブロック１の上部に配設するコンクリートブロックの控の長さによって調整すれば良い。
【００１８】
支持梁４の底部側には、前方側基礎部材２の連結部６と、後方側基礎部材３の連結部９との長さに対応した切り欠き部１３が形成されており、これら連結部６、９の上部に支持梁４を配設しやすいようにすると共に、支持梁４を連結部６、９の上部に配設させた際に、前方側基礎部材２及び後方側基礎部材３の上面と、支持梁４の上面とが略同じ高さになるようにしている。
【００１９】
また、支持梁４の長手方向の両端部には、前方側基礎部材２の連結部６に形成された嵌合凹部８と、後方側基礎部材３の連結部９に形成された嵌合凹部１１とに対応した位置合わせ用の嵌合凸部１４が形成されている。そのため、これら連結部６、９に形成された嵌合凹部８、１１と、嵌合凸部１４とを嵌合させることによって、前方側基礎部材２及び後方側基礎部材３と、支持梁４とを容易に位置合わせできるようになっているのである。
【００２０】
この支持梁４は、前方側基礎部材２と後方側基礎部材３との連結部６、９に対応させて配設し、これら連結部６、９に連結させる構成でため、該連結部６、９が形成された数と同様に、一対の前方側基礎部材２と後方側基礎部材３とに少なくとも二つ以上の支持梁４を配設させるものである。そして、一対の前方側基礎部材２と後方側基礎部材３とにおける支持梁４の長さを同じにすることによって、前記前方側基礎部材２と後方側基礎部材３とは平行に維持されるのである。
【００２１】
図６に、基礎ブロック１の上部にコンクリートブロックを配設させた状態の一例として、特開２００４−３０８２６９に開示されたコンクリートブロック１５を配設させた状態を略示的に示した側面図を示してある。
【００２２】
基礎ブロック１は、例えば、まず後方側基礎部材３を法面１６寄りの地面１７に配設し、該後方側基礎部材３から所定の間隔、即ち連結部６、９の長さ（コンクリートブロック１５における控の長さ）を設けて前方側基礎部材２を配設し、これら前方側基礎部材２と後方側基礎部材３との連結部６、９に支持梁４を配設させ、該支持梁４に設けられたボルト挿設用孔部１２を介して前記前方側基礎部材２と後方側基礎部材３とに設けられたボルト取り付け用孔部７、１０に図示していないボルトを取り付けて、これら前方側基礎部材２及び後方側基礎部材３と、支持梁４とを連結させることにより、容易に形成することができるようになっている。この際、前記前方側基礎部材２と後方側基礎部材３とは、図６に示したように、地面１７上に配設させても良いし、地面１７に一部を埋設させるようにさせても良い。
【００２３】
この基礎ブロック１の上部にコンクリートブロック１５を配設させた場合には、該コンクリートブロック１５が相当の重量であるため、自然と安定し、また、前方側基礎部材２の上面にエプロン部５が形成されているため、該エプロン部５に前記コンクリートブロック１５の正面パネルが支持されて、該コンクリートブロック１５の前方へのズレが防止されるようになっている。
【００２４】
そして、配設させた基礎ブロック１やコンクリートブロック１５の内側に土砂等を敷き詰めることにより、地面１７にしっかりと固定させるようにすれば良い。
【００２５】
このように、本発明に係る基礎ブロック１をコンクリートブロックの底部に敷設することによって、該コンクリートブロックを支えて容易に地盤に定着させることができる、即ち、コンクリートブロックの基礎部とする位置に予め作製された基礎ブロック１を敷設するという容易な作業だけで基礎部の形成ができて工事現場における基礎コンクリートを打設する作業を要しないことから、作業工程を短縮することができ、また、基礎コンクリートを打設する作業のように天候等にも左右されることがなく、更に、基礎ブロック１が前方側基礎部材２と、後方側基礎部材３と、支持梁４との複数の部材を組み合わせる組み立て式であるため、１つ１つの部材を小型・軽量化できて搬入作業等も容易にできるようになり、更に、これら前方側基礎部材２と、後方側基礎部材３と、支持梁４とがいずれも棒状の略長方体の形状を呈しているので、搬入用車両等への積荷も容易にできるのである。
【図面の簡単な説明】
【００２６】
【図１】本発明に係るコンクリートブロック用の基礎ブロックを略示的に示した斜視図である。
【図２】（ａ）は、同コンクリートブロック用の基礎ブロックを略示的に示した平面図であり、（ｂ）は、同コンクリートブロック用の基礎ブロックを略示的に示した側面図である。
【図３】（ａ）は、同コンクリートブロック用の基礎ブロックに用いられる前方側基礎部材を略示的に示した平面図であり、（ｂ）は、同前方側基礎部材を略示的に示した側面図である。
【図４】（ａ）は、同コンクリートブロック用の基礎ブロックに用いられる後方側基礎部材を略示的に示した平面図であり、（ｂ）は、同後方側基礎部材を略示的に示した側面図である。
【図５】（ａ）は、同コンクリートブロック用の基礎ブロックに用いられる支持梁を略示的に示した平面図であり、（ｂ）は、同支持梁を略示的に示した側面図である。
【図６】同コンクリートブロック用の基礎ブロックの上部にコンクリートブロックを配設させた状態の一例を略示的に示した側面図である。
【符号の説明】
【００２７】
１  コンクリートブロック用の基礎ブロック
２  前方側基礎部材
３  後方側基礎部材
４  支持梁
５  エプロン部
５ａ、５ｂ  傾斜部
６、９  連結部
７、１０  ボルト取り付け用孔部
８、１１  嵌合凹部
１２  ボルト挿設用孔部
１３  切り欠き部
１４  嵌合凸部
１５  コンクリートブロック
１６  法面
１７  地面
【図１】
2006249675.tif 000003
【図２】
2006249675.tif 000004
【図３】
2006249675.tif 000005
【図４】
2006249675.tif 000006
【図５】
2006249675.tif 000007
【図６】
2006249675.tif 000008